(57)【要約】【課題】番組予告を視聴して該当の番組に興味を持った際に、簡単な操作で録画予約ができ、興味のある番組の見逃しや録画忘れが少ない映像記録再生装置及び映像記録再生方法を提供する。【解決手段】放送番組の中から番組の番組予告データを抽出し、利用者の視聴傾向かや利用者が入力したキーワードから利用者の嗜好データを生成して、番組予告データと嗜好データを照合して番組が利用者の嗜好に沿った番組であるかを判定し、番組が利用者の嗜好に合うと判定されたとき、表示装置の画面に録画予約を促す催促画面をポップアップ表示し、利用者に番組予告の番組を視聴予約、録画予約するように促す。利用者は催促画面を見て簡単に視聴予約、録画予約することができる。【選択図】図３
2010178191.tif 000002
【特許請求の範囲】
【請求項１】
放送番組の中から番組の番組予告データを抽出する番組予告抽出手段と、
利用者の視聴傾向から前記利用者の嗜好データを生成する嗜好データ生成手段と、
前記番組予告データと前記嗜好データを照合して前記番組が前記利用者の嗜好に沿った番組であるかを判定する嗜好判定手段と、
前記番組が前記利用者の嗜好に合うと判定されたとき、表示装置の画面に録画予約を促す催促画面を表示する催促画面表示手段と
を有することを特徴とする映像記録再生装置。
【請求項２】
前記催促画面は、ポップアップ画面であることを特徴とする請求項１記載の映像記録再生装置。
【請求項３】
ＥＰＧデータを取得するＥＰＧ取得手段と、
前記番組予告データと前記ＥＰＧデータを照合して、前記番組のＥＰＧデータが存在するかを判定するＥＰＧ判定手段と、
前記番組のＥＰＧデータが存在するとき、該ＥＰＧデータによる録画予約をし、前記番組のＥＰＧデータが存在しないとき、前記ＥＰＧデータを更新して前記番組のＥＰＧデータが取得された時点で該ＥＰＧデータによる録画予約をするＥＰＧ録画予約手段と
を有することを特徴とする請求項１記載の映像記録再生装置。
【請求項４】
前記催促画面表示手段は、前記番組予告が終了した後に所定時間前記催促画面を表示することを特徴とする請求項１記載の映像記録再生装置。
【請求項５】
前記催促画面表示手段は、前記催促画面の一部の領域に前記番組予告の静止画像または動画像を表示することを特徴とする請求項１記載の映像記録再生装置。
【請求項６】
放送番組を受信する２個以上のチューナと、
前記２個以上のチューナのうちで利用者が番組の視聴に使用している１個のチューナとは別のチューナによって所定時間間隔で複数の裏番組を切替えて受信し前記裏番組の番組予告データを抽出する裏番組予告抽出手段と、
前記利用者の視聴傾向から前記利用者の嗜好データを生成する嗜好データ生成手段と、
前記番組予告データと前記嗜好データを照合して前記裏番組が前記利用者の嗜好に沿った番組であるかを判定する嗜好判定手段と、
前記裏番組が前記利用者の嗜好に合うと判定されたとき、表示装置の画面に録画予約を促す催促画面を表示する催促画面表示手段と
を有することを特徴とする映像記録再生装置。
【請求項７】
放送番組の中から番組の番組予告データを抽出する番組予告抽出ステップと、
利用者の視聴傾向から前記利用者の嗜好データを生成する嗜好データ生成ステップと、
前記番組予告データと前記嗜好データを照合して前記番組が前記利用者の嗜好に沿った番組であるかを判定する嗜好判定ステップと、
前記番組が前記利用者の嗜好に合うと判定されたとき、表示装置の画面に録画予約を促す催促画面を表示する催促画面表示ステップと
を有することを特徴とする映像記録再生方法。
【請求項８】
前記催促画面は、ポップアップ画面であることを特徴とする請求項７記載の映像記録再生方法。
【請求項９】
ＥＰＧデータを取得するＥＰＧ取得ステップと、
前記番組予告データと前記ＥＰＧデータを照合して、前記番組のＥＰＧデータが存在するかを判定するＥＰＧ判定ステップと、
前記番組のＥＰＧデータが存在するとき、該ＥＰＧデータによる録画予約をし、前記番組のＥＰＧデータが存在しないとき、前記ＥＰＧデータを更新して前記番組のＥＰＧデータが取得された時点で該ＥＰＧデータによる録画予約をするＥＰＧ録画予約ステップと
を有することを特徴とする請求項７記載の映像記録再生方法。
【請求項１０】
前記番組予告が終了した後に所定時間前記催促画面を表示するステップを有することを特徴とする請求項７記載の映像記録再生方法。
【請求項１１】
前記催促画面の一部の領域に前記番組予告の静止画像または動画像を表示するステップを有することを特徴とする請求項７記載の映像記録再生方法。
【請求項１２】
放送番組を受信する２個以上のチューナを有する映像記録再生装置において、
前記２個以上のチューナのうちで利用者が番組の視聴に使用している１個のチューナとは別のチューナによって所定時間間隔で複数の裏番組を切替えて受信し前記裏番組の番組予告データを抽出する裏番組予告抽出ステップと、
前記利用者の視聴傾向から前記利用者の嗜好データを生成する嗜好データ生成ステップと、
前記番組予告データと前記嗜好データを照合して前記裏番組が前記利用者の嗜好に沿った番組であるかを判定する嗜好判定ステップと、
前記裏番組が前記利用者の嗜好に合うと判定されたとき、表示装置の画面に録画予約を促す催促画面を表示する催促画面表示ステップと
を有することを特徴とする映像記録再生方法。
【発明の詳細な説明】
【技術分野】
【０００１】
本発明は、デジタル放送によって受信した映像を記録再生する映像記録再生装置及び映像記録再生方法関する。
【背景技術】
【０００２】
近年、地上デジタル放送、ＢＳ／ＣＳデジタル放送が本格的に運用され、多くの番組が高画質、高音質で視聴できる環境が整ってきた。デジタル放送は、電子番組表（ＥＰＧ（Electronic Program Guide））の仕組みが備えられており、受信機のリモコンのボタンを押すだけで、１週間先までの番組表が表示され、放送時間や出演者など、番組内容の表示や知りたい情報の検索、番組の視聴予約や録画予約も簡単に行うことができ、また放送時刻の変更があっても予約時間が連動するので便利である。
【０００３】
番組の途中や番組間のＣＭ時に番組の予告（以後番組予告と言う）が放送される場合がある。利用者はこの番組予告を見て興味を持ち、その番組を視聴または録画したいと思った場合、その番組の放送日時や放送チャンネルを覚えて、後でＥＰＧ上で該当番組の放送時間を探したり、利用者が直接録画時間を指定しなければならない。
【０００４】
そのような煩わしさを解消する方法として、複数のチャンネルを多重して放送すると共に、番組予告に予告番組の番組情報を付加して放送するデジタル放送を受信するデジタル放送受信装置において、番組予告を視聴中に予告番組の視聴予約を指示する視聴予約指示手段と、該視聴予約指示手段により指示された予告番組の番組情報を記憶する番組記憶手段と、該番組記憶手段に記憶した番組情報に基づき予告番組の放送時間に応じて予告番組を受信させる制御手段とを備えるデジタル放送受信装置が提案されている。（特許文献１参照。）
【先行技術文献】
【特許文献】
【０００５】
【特許文献１】特開２００１−２５７９５３号公報
【発明の概要】
【発明が解決しようとする課題】
【０００６】
特許文献１では、番組予告らしき番組が流れ、利用者がそれを見て録画予約ボタンを押下すると、放送受信装置の制御部が、番組予告放送に付加されたＥＰＧへのリンク情報に基づいて、ＥＰＧチャンネルを参照し、予告されている番組の放送チャンネル、放送日時情報を取得する。例えば、番組の放送予定日が１週間を超える場合には、ＥＰＧのデータは取得できないため、録画予約ができない。また、利用者が番組予告らしき番組を見逃した場合には、予約することは当然できない。
【０００７】
本発明は上記したような事情に鑑み成されたものであって、番組予告を視聴して該当の番組に興味を持った際に、簡単な操作で録画予約ができ、興味のある番組の見逃しや録画忘れが少ない映像記録再生装置及び映像記録再生方法を提供することを目的とする。
【課題を解決するための手段】
【０００８】
上記目的を達成するために、本発明の映像記録再生装置は、放送番組の中から番組の番組予告データを抽出する番組予告抽出手段と、利用者の視聴傾向から前記利用者の嗜好データを生成する嗜好データ生成手段と、前記番組予告データと前記嗜好データを照合して前記番組が前記利用者の嗜好に沿った番組であるかを判定する嗜好番組判定手段と、前記番組が前記利用者の嗜好に合うと判定されたとき、表示装置の画面に録画予約を促す催促画面を表示する催促画面表示手段とを有することを特徴とする。
【０００９】
また、本発明の映像記録再生方法は、放送番組の中から番組の番組予告データを抽出する番組予告抽出ステップと、利用者の視聴傾向から前記利用者の嗜好データを生成する嗜好データ生成ステップと、前記番組予告データと前記嗜好データを照合して前記番組が前記利用者の嗜好に沿った番組であるかを判定する嗜好判定ステップと、前記番組が前記利用者の嗜好に合うと判定されたとき、表示装置の画面に録画予約を促す催促画面を表示する催促画面表示ステップとを有することを特徴とする。
【発明の効果】
【００１０】
本発明によれば、番組予告を視聴して該当の番組に興味を持った際に、簡単な操作で録画予約ができ、興味のある番組の見逃しや録画忘れを少なくすることができる。
【図面の簡単な説明】
【００１１】
【図１】本発明による映像記録再生装置１の実施例の構成を示すブロック図。
【図２】映像記録再生装置１の番組予約処理のプログラムの構成を示すブロック図。
【図３】催促画面５１の一例を示す図。
【図４】催促画面の別の一例を示す図。
【図５】番組予約処理のフローチャート。
【図６】実施例２の映像記録再生装置５０の構成を示すブロック図。
【図７】実施例２における裏番組予約処理のプログラムの構成を示すブロック図。
【発明を実施するための形態】
【００１２】
以下本発明の実施例について図面を参照しながら説明する。
【実施例１】
【００１３】
図１は、本発明による映像記録再生装置１の実施例の構成を示すブロック図である。映像記録再生装置１は、具体的にはデジタル放送を受信する機能を有し、また送受信部を介してインターネットに接続され、ネットワーク上にあるコンテンツ配信サーバからコンテンツを受信できる機能を有する。
【００１４】
アンテナ３は、放送局２から送信された放送電波を受信するための地上デジタル放送あるいは衛星デジタル放送用のアンテナである。チューナ４は、地上デジタル放送あるいは衛星デジタル放送の放送信号の中から所望のチャンネルの放送信号を選局する。復調器５は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、デジタルの映像信号及び音声信号に復調され、信号処理部６に出力される。
【００１５】
信号処理部６は、復調器５から供給されたデジタルの映像信号及び音声信号を選択的に所定のデジタル信号処理を施して、映像処理部７および音声処理部８へ出力する。信号処理部６は、ＭＰＥＧ（Moving Picture Experts Group）エンコーダ、ＭＰＥＧデコーダ、映像音声デコーダ等の機能を有する。
【００１６】
映像処理部７は、信号処理部６から入力されたデジタルの映像データを、表示装置９で表示可能なフォーマットに変換したり、表示色を任意に調整したりして、表示装置９に出力して映像を表示させる。音声処理部８は、信号処理部６から入力されたデジタルの音声データを、スピーカ１０で再生可能なアナログ音声信号に変換した後、スピーカ１０に出力して音声を再生させる。表示装置９あるいはスピーカ１０は、映像記録再生装置１と同じ筐体内に設置されていてもよい。その場合には、図１の破線で囲まれた部分が、映像記録再生装置１と同じ筐体内に含まれる。
【００１７】
映像記録再生装置１は、上記した受信動作を含むその全ての動作をＣＰＵ（Central Processing Unit）１２によって統括的に制御されている。復調器５、信号処理部６、映像処理部７、音声処理部８は、データバス１１を介してＣＰＵ１２に接続されている。
【００１８】
ＲＡＭ（Random Access Memory）１３は、ＣＰＵ１２のデータ処理に必要な各種データを格納するリード／ライトメモリであり、映像データ等を格納するバッファメモリとして動作する。ＲＯＭ（Read Only Memory）１４は読出し専用メモリであり、ＣＰＵ１２が実行する制御のプログラムなどを格納している。
【００１９】
操作受信部１５は、操作部１６から送信される操作信号を受信し、ＣＰＵ１１に転送する。操作部１６は、例えば、赤外線による無線通信を利用したリモコン、有線式あるいは無線式マウス、キーボード等であり、操作信号を送出する。操作受信部１５は、そのリモコン、マウス、キーボード等から操作信号を受信する。
【００２０】
映像記録再生装置１は、送受信部１７を介してインターネット１８に接続されている。これにより、映像記録再生装置１は、ネットワーク上にあるコンテンツ配信サーバ等の機器と送受信部１７を介して情報伝送を行なうことができる。
【００２１】
記録装置１９は、フラッシュメモリあるいはＨＤＤ（Hard Disk Drive）等を含む記録装置である。記録装置１９は、データバス１１に接続しているが、記録装置１９には情報を記録再生するためのインターフェイス手段が搭載されており、該インターフェイス手段を介してフラッシュメモリあるいはＨＤＤにデータを記録しまた再生する。
【００２２】
図２は、映像記録再生装置１の番組予約処理のプログラムの構成を示すブロック図である。番組予約処理のプログラムはＲＯＭ１４に格納されており、電源投入あるいは放送データの入力と共にＣＰＵ１２が、番組予約処理プログラムを起動する。
【００２３】
番組予告抽出手段２０は、利用者が現在視聴中の放送番組の映像が番組の番組予告かどうかを判定し抽出する手段である。視聴中の映像が番組予告であるかの判定には、映像中に表示されるテロップの認識、放送局からＥＰＧデータ、データ放送、あるいはネットワーク経由で提供される番組予告情報などを用いる。データ放送では、番組連動データ放送や補完データ放送（番組情報）があり、同じチャンネルで行われる他の放送サービスに関連したデータが放送されている。
【００２４】
テロップ認識手段２１は、画面に表示されているテロップ文字情報(放送番組の映像中の見出し文や人物名等の字幕)を検出し、テロップ文字として認識して、テキストコードに変換する。テキストコードはテロップデータとしてＲＡＭ１３に格納される。テロップ文字には、未来の放送日時や番組名、出演者名の文字データ、また「お見逃し無く」「乞うご期待」等の文字情報があり、番組予告に関連した様々な文字情報がある。
【００２５】
メタデータ認識手段２２は、例えば、ＥＰＧデータの中の放送時間や出演者のデータ、番組内容の表示のようなデータがあり、またデータ放送の中には、データの作成日時や作成者、データ形式、タイトル等が含まれている場合がある。メタデータ認識手段２２は、番組予告に関連するメタデータを選択的に抽出して、メタデータとしてＲＡＭ１３に格納する。
【００２６】
ネットワークデータ認識手段２３は、放送と同時に送信されているネットワーク経由の番組予告情報、あるいは放送とは別時間に送信されたネットワーク経由の番組予告情報を認識し、メタデータとしてＲＡＭ１３に格納する。
【００２７】
番組予告抽出手段２０は、ＲＡＭ１３に格納されたテロップデータ、メタデータ及びネットワークデータから番組予告であることを判定し、番組予告データとして抽出する。利用者が視聴している番組は、ＲＡＭ１３の一部のエリアを利用して所定時間間隔でループ録画されているが、番組予告抽出手段２０が番組予告と判定すると、番組予告データ記録手段２４が、ループ録画を中断し、直近の録画データを保持し、番組予告の録画データを番組予告データ２５として記録管理する。また、予告対象の番組の放送時間やタイトルなどのメタデータを抽出しそれを含めて番組予告データ２５として記録管理する。
【００２８】
嗜好データ生成手段２６は、映像記録再生装置１の利用者の過去の視聴傾向データを記憶した視聴傾向データベース２７と利用者が入力したキーワードを記憶したキーワードデータベース２８から、嗜好データ２９を生成する。
【００２９】
視聴傾向データベース２７は、利用者が過去に録画予約あるいは視聴予約した番組のメタデータを蓄積しメタデータの分類ごとに発生頻度の大きい順に整理されたデータベースである。このデータベースはメモリの制限から直近の所定の録画予約回数あるいは視聴予約回数（例えば５０回）のリングデータとなっている。
【００３０】
キーワードデータベース２８は、利用者が任意に記憶させるテキストベースのキーワードを記憶したデータベースである。このキーワードデータベース２８は、キーワードの重要度に応じた所定の階層を持たせることが可能である。例えば、スポーツとグルメというキーワードがあった場合にスポーツを高重要ランクとし、グルメを低重要ランクにした場合には、後述する嗜好判定において、スポーツ番組は必ず嗜好判定されるが、グルメは嗜好判定されない場合もあり得る。
【００３１】
嗜好判定手段３０は、番組予告データ記録手段２４が記録した番組予告データ２５と嗜好データ生成手段２６が生成した嗜好データ２９を照合し、利用者の嗜好に合致した番組であるのかを判定する。番組予告データ２５のメタ情報と嗜好データ２９をマッチングさせて、その類似度が一定の閾値を越えた場合に嗜好に合致した番組であると判定する。この類似度の計算アルゴリズムなどは、既に多くの手法が提案されており、それらのどの手法を用いてもよい。ここでは詳細については記載しない。
【００３２】
自動録画予約手段３１は、番組予告データ２５が利用者の嗜好に合致していると判定された場合には、自動的に録画予約するように利用者が設定できる機能である。自動録画予約がＯＮの状態に設定されたならば、自動録画予約済のフラグ３２が立つ。自動録画予約済判定手段３３は、自動録画予約フラグ３２が立っているかを検査する。自動録画予約フラグ３２が立っていれば、利用者が自動録画予約がＯＮの状態に設定したと判定し、立っていなければ、自動録画予約がＯＦＦの状態であると判定する。
【００３３】
催促画面表示手段３４は、自動録画予約済判定手段３３が、自動録画予約済みでないと判定した場合に機能する。即ち、番組予告が利用者の嗜好に合致していたならば自動的に録画予約あるいは視聴予約するように、利用者が最初から設定した場合には、催促画面表示手段は動作しない。
【００３４】
催促画面表示手段３４は、表示装置９の表示画面５０の一部、例えば右上隅に催促画面５１をポップアップ表示する。催促画面５１については、後述する。催促画面５１は、催促画面生成手段３５によって催促画面データ３６が生成され表示される。催促画面生成手段３５は、番組予告データ記録手段２４から番組予告のメタデータや番組予告の録画データを受け取り、催促画面５１上に利用者に録画を促す画面となるように再構成する。催促画面５１には番組予告のタイトル、放送日時等が表示され、また視聴予約、録画予約、キャンセルのボタンが表示され、利用者が任意に選択できる。
【００３５】
録画予約判定手段３７は、利用者が催促画面５１の表示されている間に視聴予約または録画予約したか、またはキャンセルしたかを判定する。催促画面５１が表示された状態で利用者は視聴予約、録画予約、キャンセルの何れかを選択でき、図示しないリモコンまたは映像記録再生装置１の前面または側面にある操作ボタンによって操作信号を送出する。録画予約判定手段３７は、操作信号が何れの信号であったかを検査し、視聴予約または録画予約したか、またはキャンセルしたかを判定する。
【００３６】
ＥＰＧ判定手段３８は、番組予告を抽出する際にメタデータ認識手段２２によって取得したメタデータやテロップ認識手段２１によって取得したテロップデータと、メタデータ認識手段２２によって取得したＥＰＧデータとをマッチングさせて、番組予告の番組がＥＰＧデータとして存在するかを判定する。１週間を超える未来の番組ではＥＰＧデータが入手できないので、ＥＰＧ判定手段３８はＥＰＧデータ無しと判定する。ＥＰＧデータが存在すれば、ＥＰＧデータ有りと判定し、そのＥＰＧデータを用いて番組単位での録画予約を行う。ＥＰＧデータ無しと判定された場合には、前述したメタデータやテロップデータから得られた番組の開始時間、終了時間を元に録画予約を行う。
【００３７】
ＥＰＧ取得手段３９は、放送データからＥＰＧデータを取得する手段である。ＥＰＧデータから１週間先までの番組データ（放送時間、出演者、番組内容など）を取得できる。定期的（例えば毎日の所定時刻）にＥＰＧデータを取得する。
【００３８】
ＥＰＧ録画予約手段４０は、ＥＰＧデータを基にして番組単位での録画予約を行う。また、新たに得られたＥＰＧデータに番組予告の番組の番組データが見付かれば、そのＥＰＧデータを基に番組単位での録画予約を行う。
【００３９】
図３は、催促画面５１の一例を示す図である。催促画面５１は、催促画面生成手段３５によって催促画面データ３６が生成され、表示装置９の表示画面５０の一部、例えば右上隅に催促画面５１をポップアップ表示する。催促画面５１には、番組予告のタイトル、放送日時等が表示され、また利用者に予約をするかを尋ねる文言が表示される。更に視聴予約５２、録画予約５３、キャンセル５４のボタンが表示されている。催促画面５１が表示された状態では、録画予約５３がハイライトされており、利用者は図示しないリモコンの決定ボタンを押下することによって録画予約を設定できる。
【００４０】
図４は、催促画面の別の一例を示す図である。催促画面５５は、催促画面の中に該当の番組予告の映像を埋め込む場合の例である。番組予告埋め込み映像５９は、番組予告データ記録手段２４が、ループ録画を中断し直近の録画データを保持した番組予告の録画データを、催促画面生成手段３５が受け取り、催促画面５５上に映像データとして構成したデータである。番組予告埋め込み映像５９は静止画像であってもよい。
【００４１】
催促画面５５は、番組予告の放送が終了しても、所定時間表示し続けるようにしたものである。一般に番組予告は数十秒から数分程度の映像であり、その間に利用者の操作が完了するとは限らない。また、テロップ認識などに時間が掛かり、番組予告の終了間際まで催促画面５５を表示できない場合もある。そこで、番組予告の放送が終了しても、所定時間表示し続けるようにすれば、利用者の操作する時間が確保できる。例えば、番組予告の放送が終了した後に３分間継続して表示することができる。また、催促画面５５の一部に番組予告埋め込み映像５９が埋め込まれているので、番組予告の放送が終了しても、利用者は番組予告の内容を画像で確認することができる。
【００４２】
図５は、番組予約処理のフローチャートである。Ｓ１０において、テロップ認識手段２１は、映像中のテロップ文字情報を検出し、画面中のテロップ文字を認識して、テキストコードに変換し、テロップデータとしてＲＡＭ１３に格納する。また、メタデータ認識手段２２は、ＥＰＧデータやデータ放送の中の番組予告に関連するメタデータを選択的に抽出して、メタデータとしてＲＡＭ１３に格納する。更に、ネットワークデータ認識手段２３は、ネットワーク経由で提供される番組予告情報を認識し、メタデータとしてＲＡＭ１３に格納する。
【００４３】
Ｓ１１において、番組予告抽出手段２０は、利用者が現在視聴中の放送番組の映像が番組の番組予告かどうかを判定する。視聴中の映像が番組予告であれば、Ｓ１２へ移り、番組予告でなければ、終了ステップに移る。
【００４４】
Ｓ１２において、嗜好判定手段３０は、番組予告データ記録手段２４が記録した番組予告データ２５のメタデータと嗜好データ生成手段２６が生成した嗜好データ２９をマッチングさせる。
【００４５】
Ｓ１３において、嗜好判定手段３０は、番組予告データ２５と嗜好データ２９の類似度を判定する。類似度が一定の閾値を越えた場合に嗜好に合致した番組であると判定し、ステップ１４へ移る。逆に嗜好に合致した番組でないと判定した場合には終了ステップに移る。
【００４６】
Ｓ１４において、自動録画予約済判定手段３３は、自動録画予約がＯＮの状態に設定されているかを判定し、ＯＮの状態に設定されていれば、Ｓ１５へ移り、ＯＦＦの状態に設定されていれば、Ｓ１８へ移る。
【００４７】
Ｓ１５において、ＥＰＧ判定手段３７は、番組予告のメタデータやテロップデータと取得したＥＰＧデータとをマッチングさせる。Ｓ１６において、ＥＰＧ判定手段３７は、番組予告の番組がＥＰＧデータとして存在するかを判定する。ＥＰＧデータが存在すれば、ＥＰＧデータ有りと判定し、Ｓ１７へ移る。ＥＰＧデータ無しと判定された場合には、Ｓ２０へ移る。Ｓ１７において、ＥＰＧ録画予約手段３９は、ＥＰＧデータを用いて番組単位での録画予約を行い、終了ステップへ移る。
【００４８】
Ｓ１８において、催促画面表示手段３４は、表示装置９の表示画面５０の一部、例えば右上隅に催促画面５１をポップアップ表示し、利用者に番組予告の番組を視聴予約、録画予約するように促す。
【００４９】
Ｓ１９において、録画予約判定手段３７は、利用者が視聴予約または録画予約したか、またはキャンセルしたかを判定する。視聴予約または録画予約されたと判定したならば、Ｓ１５へ移る。キャンセルされたと判定したならば、終了ステップへ移る。
【００５０】
Ｓ２０において、ＥＰＧ判定手段３８は、ＥＰＧデータ無しと判定された場合には、番組予告データ２５のメタデータやテロップデータから得られた番組の開始時間、終了時間を元に日時指定で録画予約を行う。
【００５１】
Ｓ２１において、ＥＰＧ取得手段３９は、放送データからＥＰＧデータを取得する。所定の時間が経過したら新たにＥＰＧデータを取得する。Ｓ２２において、ＥＰＧ判定手段３７は、番組予告の番組がＥＰＧデータとして存在するかを判定する。ＥＰＧデータが存在すれば、ＥＰＧデータ有りと判定し、Ｓ１７へ移る。ＥＰＧデータ無しと判定された場合には、Ｓ２１へ移る。
【００５２】
以上のように、放送番組の中から番組の番組予告データ２５を抽出し、利用者の視聴傾向や利用者が入力したキーワードから利用者の嗜好データ２９を生成して、番組予告データと嗜好データを照合して該当の番組が利用者の嗜好に沿った番組であるかを判定する。そして番組が利用者の嗜好に合うと判定されたとき、表示装置９の画面５０に録画予約を促す催促画面５１あるいは催促画面５５をポップアップ表示し、利用者に番組予告の番組を視聴予約、録画予約するように促す。利用者は催促画面５１あるいは催促画面５５を見て簡単に視聴予約、録画予約することができる。
【００５３】
このようにすることによって、利用者が番組予告を見て興味を持った場合に、ＥＰＧを用いた画面で該当番組の放送時間を探したり、利用者が直接録画時間を指定したりする手間が掛からず、簡単に録画予約を行うことができる。また、テロップ認識を用いることによって該当番組の放送予定がＥＰＧデータに含まれないような未来の日時であっても、簡単に録画予約を行うことが出来る。
【００５４】
更に、利用者の設定したキーワードや嗜好に沿った番組予告に絞って録画予約を促す催促画面５１を表示するので、興味の無い番組予告を表示する煩わしさを低減できる。また、サッカーやＦ１（フォーミュラ・ワン、Formula One）などのように放送日程が不定期で放送時間が固定されていない場合であっても、録画予約を促す表示が出ることで、興味のある番組の見逃し・録画忘れを防止することができるという大きな効果を奏する。
【００５５】
放映予定が１週間以上先の番組であっても、一時的に日時指定で録画予約を入れておき、後でＥＰＧデータが取得できた時点で自動的に番組指定の予約に変更することで、利用者が再度予約し直す手間を省くことができる。また、番組指定の録画予約に変更する際に録画タイトルの詳細なメタ情報を取得できるので、それを録画タイトルに反映することができる。番組予告が終了しても録画予約を促す催促画面５１あるいは催促画面５５の表示が消えないので、利用者は落ち着いて確認し録画予約することができる
【実施例２】
【００５６】
図６は、実施例２の映像記録再生装置６０の構成を示すブロック図である。この実施例２の各部について、図１に示す実施例１の映像記録再生装置１の各部と同一部分は同一符号である。この実施例２が実施例１と異なる点は、チューナ４が複数個（図６は４ａと４ｂの２個）あることにある。
【００５７】
映像記録再生装置６０は、２個以上のチューナを搭載しており、２個以上のチューナのうちで利用者が番組の視聴に使用している１個のチューナとは別のチューナによって所定時間間隔で複数の裏番組を切替えて受信し、番組の番組予告データを抽出する。
【００５８】
図７は、実施例２における裏番組予約処理のプログラムの構成を示すブロック図である。図２に示すブロック図と図７に示すブロック図と異なる点は、番組予告抽出手段２０を裏番組予告抽出手段６１に代えていることと、番組予告データ２５を裏番組予告データ６２に代えていることにある。他は同様である。
【００５９】
裏番組予告抽出手段６１は、利用者が視聴している番組以外の１個あるいは複数の裏番組を別のチューナを用いて、所定時間の間隔でザッピングしながら裏番組で放送される番組予告を検索し、テロップ認識手段２１によって取得されＲＡＭ１３に格納されたテロップデータ、メタデータ認識手段２２によって取得されたメタデータから番組予告であることを判定し、裏番組予告データ６２として抽出する。ザッピングとは、所定の短い時間間隔で頻繁にチャンネルを切替えて視聴することを言う。利用者が視聴しているチャンネルだけでなく他のチャンネルの番組予告も検索することができる。
【００６０】
裏番組予告抽出手段６１によって別のチューナによって所定時間間隔で複数の裏番組を切替えて受信し裏番組の裏番組予告データ６２を抽出し、嗜好データ生成手段２６によって利用者の視聴傾向から利用者の嗜好データを生成し、嗜好判定手段３０によって裏番組予告データ６２と嗜好データを照合して、裏番組が利用者の嗜好に沿った番組であるかを判定する。そして番組が利用者の嗜好に合うと判定されたとき、表示装置９の画面５０に録画予約を促す催促画面５１をポップアップ表示し、利用者に裏番組予告の番組を視聴予約、録画予約するように促す。利用者は催促画面５１を見て簡単に視聴予約、録画予約することができる。
【００６１】
以上のようにさらにチューナを複数搭載して、現在視聴しているチャンネル以外の裏番組予告を抽出し、利用者に裏番組予告の番組の視聴予約、録画予約を促すようにしたため、嗜好に沿った番組の見逃し・録画忘れをより減少させることができる。該当の裏番組予告をループ再生するので、裏番組の番組予告であっても容易に内容を確認することができる。
【００６２】
本発明は以上の構成に限定されるもではなく種々の変形が可能である。
【符号の説明】
【００６３】
１  映像記録再生装置
４  チューナ
６  信号処理部
７  映像処理部
８  音声処理部
９  表示装置
１０  スピーカ
１２  ＣＰＵ
１３  ＲＡＭ
１４  ＲＯＭ
１５  操作受信部
１７  送通信部
１９  記録装置
２０  番組予告抽出手段
２６  嗜好データ生成手段
３０  嗜好判定手段
３４  催促画面表示手段
３８  ＥＰＧ判定手段
３９  ＥＰＧ取得手段
４０  ＥＰＧ録画予約手段
６０  映像記録再生装置
６１  裏番組予告抽出手段
【図１】
2010178191.tif 000003
【図２】
2010178191.tif 000004
【図３】
2010178191.tif 000005
【図４】
2010178191.tif 000006
【図５】
2010178191.tif 000007
【図６】
2010178191.tif 000008
【図７】
2010178191.tif 000009